(57)【要約】【課題】扉３２を開く操作によって画像形成が中断される場合に、機体内への手指の進入を許すことなく記録材のジャムやミスプリントを回避できる画像形成装置を提供する。【解決手段】扉３２が閉じた状態で、スタートスイッチ１６が操作されると施錠装置４０が作動して画像形成中の扉３２の開放を阻止する。画像形成中に扉３２を開けようとすると、扉スイッチ３２ｓが扉３２の浮き上がりを検知して、形成中のトナー像が記録材に転写されて定着完了するのを待って施錠装置４０を解除する。形成中のトナー像が記録材に転写完了して定着完了するまでのわずかな時間を施錠装置４０で安全確保した後に、扉３２の開放を可能にする。【選択図】図１
2009145388.tif 000002
【特許請求の範囲】
【請求項１】
トナー像を形成するトナー像形成手段と、
記録材を給送してトナー像を転写させる給送機構と、
トナー像が転写された記録材を加熱加圧してトナー像を定着する定着装置と、
前記トナー像形成手段と前記給送機構との少なくとも一方を遮蔽可能な扉部材と、を備えた画像形成装置において、
閉じた前記扉部材を固定して開放を阻止する施錠装置と、
画像形成の中断指令を受け取ると、前記トナー像形成手段による実行中のトナー像の形成が完了して前記定着装置による定着が完了した後に前記施錠装置を解除する制御手段と、を備えたことを特徴とする画像形成装置。
【請求項２】
前記扉部材を開く操作を検知して前記中断指令を発生する扉操作検知手段を備え、
前記制御手段は、前記扉操作検知手段から前記中断指令を受け取ると、前記施錠装置を解除するとともに、前記トナー像形成手段及び前記給送機構の電源を遮断することを特徴とする請求項１記載の画像形成装置。
【請求項３】
前記トナー像形成手段及び前記給送機構に対する電源の遮断を指令操作されると前記中断指令を発生する電源スイッチを備え、
前記制御手段は、前記施錠装置を解除するとともに、前記トナー像形成手段及び前記給送機構の電源を遮断することを特徴とする請求項１又は２記載の画像形成装置。
【請求項４】
前記制御手段は、画像形成ジョブの開始時に前記施錠装置を締結して、画像形成ジョブの終了時に解除することを特徴とする請求項１乃至３いずれか１項記載の画像形成装置。
【発明の詳細な説明】
【技術分野】
【０００１】
本発明は、高電圧を用いて形成したトナー像を記録材に転写して定着装置で定着させる画像形成装置、詳しくは、トナー像の形成部や記録材の搬送経路を遮蔽する扉構造に関する。
【背景技術】
【０００２】
高電圧を用いて形成したトナー像を、給送機構が給送する記録材に転写した後に、定着装置でトナー像を記録材に加熱定着する画像形成装置が広く用いられている。
【０００３】
画像形成装置では、給紙機構や高電圧印加部を複数の扉部材を設けた頑丈な筐体構造で遮蔽しており、記録材のジャム処理等を行うために扉部材を開くと、装置全体の電源が自動的に遮断される。
【０００４】
特許文献１には、画像形成中に扉部材を開くと、画像形成が途中で中断されて、処理中の記録材が自動排出され、自動排出の完了後に電源が遮断される画像形成装置が示される。これにより、記録材の搬送経路に記録材が無くなった状態で電源が遮断されるため、その後、扉部材を閉じて電源を再投入した際に、面倒なジャム処理を行わなくて済む。
【０００５】
【特許文献１】特開平６−２０８２６３号公報
【発明の開示】
【発明が解決しようとする課題】
【０００６】
特許文献１に示される記録材の自動排出処理は、トナー像の形成を途中で中断するので、多くの場合、最後の記録材は、不完全な定着画像が形成されたミスプリント状態で排出されてしまう。自動排出された記録材がミスプリントでない場合は、記録材に未転写のトナー像がトナー像形成部に残っており、未転写のトナーはクリーニングされてすべて無駄になる。
【０００７】
また、高電圧は停止されているものの、扉部材を開いて機体内に手指の進入が可能な状態で記録材の自動排出処理を実行するため、特許文献１の段落００２１に記載されているように、扉部材を記録材の搬送経路から隔離された位置へ配置する必要がある。
【０００８】
本発明は、扉部材を開く操作等によって画像形成が中断される場合に、機体内への手指の進入を許すことなく記録材のジャムやミスプリントを回避できる画像形成装置を提供することを目的としている。
【課題を解決するための手段】
【０００９】
本発明の画像形成装置は、トナー像を形成するトナー像形成手段と、記録材を給送してトナー像を転写させる給送機構と、トナー像が転写された記録材を加熱加圧してトナー像を定着する定着装置と、前記トナー像形成手段と前記給送機構との少なくとも一方を遮蔽可能な扉部材とを備えたものである。そして、閉じた前記扉部材を固定して開放を阻止する施錠装置と、画像形成の中断指令を受け取ると、前記トナー像形成手段による実行中のトナー像の形成が完了して前記定着装置による定着が完了した後に前記施錠装置を解除する制御手段とを備える。
【発明の効果】
【００１０】
本発明の画像形成装置は、扉部材を開く操作等によって中断指令が発生して画像形成が中断される場合には、形成中のトナーが記録材に転写完了して定着完了するまで、施錠装置が扉部材を固定して開くことを阻止する。
【００１１】
誤操作の場合を含めて画像形成が中断される場合に、形成中のトナーが記録材に転写完了して定着完了するまでのわずかな時間を施錠装置で安全確保した後に、扉部材の開放を可能にする。
【００１２】
従って、機体内への手指の進入を許すことなく記録材のジャムやミスプリントを回避できる。
【発明を実施するための最良の形態】
【００１３】
以下、図面を参照して本発明の実施形態を詳細に説明する。本発明は、画像形成の中断時に、形成中のトナー像が記録材へ転写されて定着完了するまで扉部材がロックされる限りにおいて、各実施形態の構成の一部または全部を、その代替的な構成で置き換えた別の実施形態でも実施できる。
【００１４】
従って、中間転写体を用いる画像形成装置に限らず、感光体に形成したトナー像を直接記録材へ転写する画像形成装置でも実施できる。また、中間転写体や記録材搬送体に沿って複数の感光ドラムを配置したタンデム型に限らず、中間転写体や記録材搬送体に沿って１個の感光ドラムを配置した１ドラム型でも実施できる。
【００１５】
本実施形態では、トナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【００１６】
なお、特許文献１に示される画像形成装置の一般的な事項については、図示を省略して重複する説明を省略する。説明中、特許請求の範囲で用いた構成名に括弧を付して示した参照記号は、発明の理解を助けるための例示であって、実施形態中の該当する部材等に構成を限定する趣旨のものではない。
【００１７】
＜第１実施形態＞
図１は第１実施形態の画像形成装置の筐体構造の説明図、図２は施錠装置の構成の説明図、図３は第１実施形態の画像形成装置の内部構成の説明図である。
【００１８】
図１に示すように、画像形成装置１００は、トナー補給、記録材のジャム処理、消耗品交換等のメンテナンスのために本体内部にアクセスするための開閉して内部空間を遮蔽可能な扉３１、３２、３５、３６が付けられている。本体フレーム３０の前面には、扉３１、３２が正面側へ水平に回転して開閉可能に取り付けられ、側面には、扉３５、３６が垂直に回転して開閉可能に取り付けられている。
【００１９】
本体フレーム３０の正面側下方には記録材収納カセット３３、３４が配置され、記録材収納カセット３３、３４は、記録材を画像形成装置１００へ補充する際に、正面側へ引き出される。
【００２０】
操作パネル１５には、画像形成を開始させるスタートスイッチ１６と画像形成を中断させるストップスイッチ１７が配置される。
【００２１】
本体フレーム３０の側面上部には、画像形成装置１００の電源を遮断するための電源スイッチ６０が配置される。
【００２２】
本体フレーム３０における扉３２の右上部に対応する位置には、扉３２の浮き上がりを検知する扉スイッチ３２ｓが配置される。
【００２３】
扉３１、３２、３５、３６の内部には、記録材の搬送機構、トナー像形成部、定着装置と言った可動部や高電圧が印加される部位があるため、扉３１、３２、３５、３６が安全のための保護カバーになっている。そのため、扉３１、３２、３５、３６を開けると、可動部を停止し、高圧電源も遮断して、画像形成を中断して、内部アクセス時の安全性を確保している。
【００２４】
扉３２の右下の内側には、開口４８ｈを形成した薄板４８が固定され、本体フレーム３０には、薄板４８の開口４８ｈをロック爪４４により係止して、閉じられた扉３２の開放をロックする施錠装置４０が固定されている。
【００２５】
薄板４８は、実際には、扉３２、３５、３６にそれぞれ取り付けられ、扉３２、３５、３６の薄板４８にそれぞれのロック爪４４が係合するように、本体フレーム３０に複数の施錠装置４０が配置されている。ただし、図１では、正面の扉３２の施錠装置４０のみを図示している。
【００２６】
第１実施形態では、施錠装置４０を扉３２、３５、３６にそれぞれ配設して制御することによって、扉３２、３５、３６の施錠／開放許可を個別に設定可能である。扉３２を閉じて施錠装置４０を締結すると扉３２が固定されて開くことができない。
【００２７】
図２に示すように、施錠装置４０は、本体フレーム３０の適所に取着したピン４３にロック爪４４が回動自在に設けてある。ロック爪４４には、付勢ばね４５が係合していて、付勢ばね４５がロック爪４４に常時矢印Ｒ４方向の回動傾向を付与して、ロック爪４４を、薄板４８の開口４８ｈに対して不係合の位置に維持している。
【００２８】
ロック爪４４には、本体フレーム３０の適所に取着したソレノイド４６が連結され、ソレノイド４６を作動させることによって、ロック爪４４は、付勢ばね４５の作用に抗して図示の位置をとって薄板４８の開口４８ｈに係合する。
【００２９】
扉３２が閉じられた状態で、ソレノイド４６を作動させると、薄板４８の開口４８ｈにロック爪４４の先端部分が突き刺さって、それ以降の扉３２の開放が阻止される。
【００３０】
図１に示すように、扉３２が閉じた状態で、スタートスイッチ１６を操作したり、外部から印刷ジョブを受信したりすると、施錠装置４０が作動して、画像形成中の扉３２を締結して開放を阻止する。
【００３１】
そして、画像形成中に無理に扉３２を開けようとすると、扉スイッチ３２ｓが扉３２の浮き上がりを検知して画像形成を中断させ、形成中のトナー像が記録材に転写されて定着完了するのを待って施錠装置４０を解除する。誤操作の場合を含めて、画像形成が中断される場合には、形成中のトナーが記録材に転写完了して定着完了するまでのわずかな時間を施錠装置４０で安全確保した後に、扉３２の開放を可能にする。
【００３２】
これにより、扉３２を無理に開けようとする操作が完遂して扉３２が自然に開くとともに、記録材のジャムやミスプリントが発生しない。
【００３３】
図３に示すように、第１実施形態の画像形成装置１００は、中間転写ベルト９の直線区間にイエロー、マゼンタ、シアン、ブラックの画像形成部Ｐａ、Ｐｂ、Ｐｃ、Ｐｄを配列したタンデム型中間転写方式のフルカラープリンタである。
【００３４】
画像形成部Ｐａは、感光ドラム１ａにイエロートナー像を形成して、中間転写ベルト９に一次転写する。画像形成部Ｐｂは、感光ドラム１ｂにマゼンタトナー像を形成して、中間転写ベルト９のイエロートナー像に重ね合わせて一次転写する。画像形成部Ｐｃは、感光ドラム１ｃにシアントナー像を形成して、中間転写ベルト９のイエロー、マゼンタトナー像に重ね合わせて一次転写する。画像形成部Ｐｄは、感光ドラム１ｄにブラックトナー像を形成して、中間転写ベルト９のイエロー、マゼンタ、シアントナー像に重ね合わせて一次転写する。
【００３５】
中間転写ベルト９に担持されたイエロー、マゼンタ、シアン、ブラックトナー像は、中間転写ベルト９の回転に伴って二次転写部Ｔ２へ搬送されて、記録材収納カセット３３、３４から１枚ずつ取り出された記録材Ｐへ二次転写される。記録材Ｐは、レジストローラ２３で待機して、中間転写ベルト９のトナー像にタイミングを合わせて二次転写部Ｔ２へ給送される。
【００３６】
トナー像を二次転写された記録材Ｐは、定着装置８へ受け渡されて、加熱加圧を受けつつ挟持搬送されて、トナー像を表面に定着される。トナー像を定着された記録材Ｐは、排出トレイ２５へ排出して積載される。
【００３７】
二次転写部Ｔ２を通過して中間転写ベルト９に残留した転写残トナーは、ベルトクリーニング装置１９によって除去される。
【００３８】
中間転写ベルト９は、テンションローラ１２、駆動ローラ１３、対向ローラ１０に支持されて矢印Ｒ２方向に回転する。
【００３９】
画像形成部Ｐａ、Ｐｂ、Ｐｃ、Ｐｄは、それぞれイエロー、マゼンタ、シアン、ブラックの二成分現像剤を用いてトナー像を現像する現像装置４ａ、４ｂ、４ｃ、４ｄを付設している。
【００４０】
画像形成装置１００の上部には、現像装置４ａ、４ｂ、４ｃ、４ｄに補充用現像剤を供給するトナーカートリッジ７ａ、７ｂ、７ｃ、７ｄが接続されている。
【００４１】
画像形成装置１００は、画像形成部Ｐａ、Ｐｂ、Ｐｃ、Ｐｄを用いて上述のようにフルカラー画像を形成するフルカラーモードと、画像形成部Ｐｄを用いてモノクロ画像を形成するブラック単色モードとを実行可能である。
【００４２】
＜トナー像形成手段＞
画像形成部Ｐａ、Ｐｂ、Ｐｃ、Ｐｄは、現像装置４ａ、４ｂ、４ｃ、４ｄの現像色が異なる以外はほぼ同様に構成される。従って、以下ではイエローの画像形成部Ｐａを説明して、マゼンタ、シアン、ブラックの画像形成部Ｐｂ、Ｐｃ、Ｐｄについては、説明中の記号の末尾のａをそれぞれｂ、ｃ、ｄに読み替えて理解されるものとする。
【００４３】
画像形成部Ｐａは、回転する感光ドラム１ａを囲んで帯電ローラ２ａ、露光装置３ａ、現像装置４ａ、一次転写ローラ５ａ、クリーニング装置６ａを配置している。
【００４４】
帯電ローラ２ａは、感光ドラム１ａに従動回転する。
【００４５】
露光装置３ａは、イエローの分解色画像を展開した走査線画像データをＯＮ−ＯＦＦ変調したレーザービームを回転ミラーで走査して、感光ドラム１ａに画像の静電像を書き込む。
【００４６】
現像装置４ａは、二成分現像剤を攪拌して帯電させ、帯電した二成分現像剤を現像剤担持体に担持させて感光ドラム１ａに摺擦する。
【００４７】
トナー像の形成に伴って現像装置４ａに充填された二成分現像剤のトナーだけが感光ドラム１ａへ持ち出されるので、放置しておくと、現像装置４ａ内の二成分現像剤に占めるトナー比率が低下する。このため、トナー像の形成で消費されるトナー量に相当するだけのトナーがトナーカートリッジ７ａから現像装置４ａへ補充される。
【００４８】
一次転写ローラ５ａは、中間転写ベルト９を介して感光ドラム１ａに圧接して、中間転写ベルト９と感光ドラム１ａとの間に一次転写部Ｔ１を形成する。
【００４９】
クリーニング装置６ａは、一次転写部Ｔ１を通過して感光ドラム１ａに残留した転写残トナーを除去する。
【００５０】
＜高電圧、給送機構＞
図４は画像形成装置の制御系のブロック図である。
【００５１】
図４に示すように、高電圧発生部６１は、交流電圧を重畳した直流電圧を、帯電ローラ２ａに印加して、感光ドラム１ａの表面を負極性の一様な電位に帯電させる。
【００５２】
高電圧発生部６１は、負極性の直流電圧に交流電圧を重畳した現像電圧を、現像装置４ａの現像剤担持体に印加して、感光ドラム１ａの静電像を反転現像する。
【００５３】
高電圧発生部６１は、正極性の直流電圧を一次転写ローラ５ａに印加して、感光ドラム１ａのトナー像に重ねて一次転写部Ｔ１を通過する中間転写ベルト９にトナー像を一次転写する。
【００５４】
二次転写ローラ１１は、中間転写ベルト９を介して対向ローラ１０に圧接して中間転写ベルト９と二次転写ローラ１１との間に二次転写部Ｔ２を形成する。
【００５５】
高電圧発生部６１は、二次転写ローラ１１へ正極性の直流電圧を印加して、中間転写ベルト９のトナー像に重ね合わせて二次転写部Ｔ２を挟持搬送される記録材へトナー像を二次転写する。
【００５６】
制御部６２は、モータ１８を制御して、感光ドラム１ａ、現像装置４ａ、中間転写ベルト９を駆動してトナー像を形成する。
【００５７】
制御部６２は、モータ１９を制御して、記録材を搬送して二次転写部Ｔ２へ給送し、二次転写部Ｔ２でトナー像を二次転写させて定着装置８へ送り込む。定着装置８を駆動して記録材にトナー像を定着させる。
【００５８】
制御部６２は、定着装置８のヒータ８ｈを制御してトナー像の定着に必要な高温度を維持する。
【００５９】
電源制御部６３は、施錠装置４０を制御して扉３２へのアクセスを制限して、高電圧が印加されたトナー像形成手段と動作中の給送機構との少なくとも一方に手指が触れないようにする。
【００６０】
＜扉部材、施錠装置＞
扉３１は、現像装置４ａ（４ｂ、４ｃ、４ｄ：図３）にトナーを補充するトナーカートリッジ７ａ（７ｂ、７ｃ、７ｄ：図３）を交換する際に開閉される。扉３１にはロック機構４０（図２参照）を設けていないので、画像形成中に開くことが阻止されない。ただし、扉３１の浮き上がりが不図示の扉スイッチによって検知されると、扉３２を開けようとした場合と同様に画像形成が中断された後に、画像形成部Ｐａ、高電圧発生部６１、モータ１８、１９等への電源供給が遮断される。
【００６１】
図４に示すように、扉３２は、記録材Ｐのジャム処理やメンテナンス作業を行う際に記録材Ｐの搬送経路の一部を開放する。扉操作検知手段の一例である扉スイッチ３２ｓは、扉部材の一例である扉３２を開く操作を検知する。
【００６２】
上述したように、扉３２の浮き上がりが扉スイッチ３２ｓによって検知されると、画像形成が中断された後に、画像形成部Ｐａ、高電圧発生部６１、モータ１８、１９等への電源供給が遮断される。
【００６３】
電源スイッチ６０は、ＯＮ−ＯＦＦ操作されることによって画像形成装置１００に対する電源供給の供給／遮断を指令操作する。ただし、電源スイッチ６０がＯＦＦ操作されても直ちに電源供給が遮断されることはなく、扉３２を開けようとした場合と同様に画像形成が中断された後に、画像形成部Ｐａ、高電圧発生部６１、モータ１８、１９等への電源供給が遮断される。
【００６４】
これにより、画像形成中に扉３１、３２が開かれたり、電源スイッチ６０がＯＦＦ操作されたりして中断指令が出力された場合に、処理中の記録材やトナー像が残らない状態で可動部を停止して高電圧を遮断する。そして、処理中の記録材やトナー像が残らない状態に移行させるまでのわずかな時間、施錠装置４０が扉３２を拘束することによって、開放された扉３２内における作業の安全性が確保される。安全性が確保された状態で施錠装置４０が解除されて、扉３２を実際に開くことが可能になる。
【００６５】
＜制御手段＞
図５は画像形成の中断処理のフローチャートである。
【００６６】
図４を参照して図５に示すように、電源制御部６３は、電源スイッチ６０がＯＮ操作されてスイッチ６０ｓが閉じると、電源リレー６４を作動させて、画像形成装置１００の各部へ電源供給を開始する（Ｓ１１）。
【００６７】
制御部６２は、扉３２が閉じられて扉スイッチ３２ｓが閉じた状態で操作パネル１５のスタートスイッチ１６が操作されると、画像形成の制御を開始する（Ｓ１２）。外部から送信された画像形成ジョブを受信した場合も同様である。
【００６８】
制御部６２は、画像形成の開始時、画像形成枚数Ｎを確認して（Ｓ１３）、ソレノイド４６を作動させ（Ｓ１４）、施錠装置４０によって扉３２の開放を不可能にする。
【００６９】
制御部６２は、記録材の給送を開始して（Ｓ１５）、画像形成を開始する（Ｓ１６）。
【００７０】
制御部６２は、電源スイッチ６０がＯＦＦ操作されず（Ｓ１７のＯＮ）、扉３２が開かれず（Ｓ１８のＮＯ）、ストップスイッチ１７が操作されなければ（Ｓ１９のＮＯ）、画像形成を継続する（Ｓ２０のＮ未満、Ｓ１５〜Ｓ１９）。
【００７１】
制御部６２は、画像形成中に電源スイッチ６０がＯＦＦ操作されてスイッチ６０ｓが開くと（Ｓ１７のＯＦＦ）、記録材の新たな取り出しを停止させる（Ｓ２４）。
【００７２】
制御部６２は、画像形成中に扉３２を開く操作がなされて扉スイッチ３２ｓが開くと（Ｓ１８のＹＥＳ）、同様に、記録材の新たな取り出しを停止させる（Ｓ２４）。
【００７３】
いずれの場合も、画像形成部Ｐａ等における新たなトナー像の形成開始は停止されるが、形成中のトナー像は、通常どおり中間転写ベルト９へ一次転写される。そして、中間転写ベルト９に形成されたフルカラー画像のトナー像が二次転写部Ｔ２へ給送された最後の記録材に通常通り二次転写され、定着装置８で定着されて排出される。このようにして、画像形成部Ｐａ、中間転写ベルト９に形成中のトナー像が無くなり、既に取り出された記録材に対する画像形成が完了される（Ｓ２５）。
【００７４】
電源制御部６３は、その後、ソレノイド４６をＯＦＦして施錠装置４０を解除すると（Ｓ２６）同時に、電源リレー６４をＯＦＦして画像形成装置１００の各部への電力供給を遮断する（Ｓ２７）。
【００７５】
制御部６２は、操作パネル１５のストップスイッチ１７が操作されたり（Ｓ１９のＹＥＳ）、外部から印刷中止の指令を受信したりすると、記録材の新たな取り出しを停止させる（Ｓ２１）。
【００７６】
制御部６２は、給紙枚数が画像形成枚数Ｎに達すると（Ｓ２０のＮ）、記録材の新たな取り出しを停止する（Ｓ２１）。
【００７７】
いずれの場合も、画像形成部Ｐａ等における新たなトナー像の形成開始は停止されるが、形成中のトナー像は、通常どおり中間転写ベルト９へ一次転写される。そして、中間転写ベルト９に形成されたフルカラー画像のトナー像が二次転写部Ｔ２へ給送された最後の記録材に通常通り二次転写され、定着装置８で定着されて排出される。このようにして、画像形成部Ｐａ、中間転写ベルト９に形成中のトナー像が無くなり、既に取り出された記録材に対する画像形成が完了される（Ｓ２２）。
【００７８】
電源制御部６３は、その後、施錠装置４０を解除した状態で（Ｓ２３）、次の画像形成開始又は残りの画像形成の再スタートを待機する（Ｓ１２）。画像形成ジョブの終了時に施錠装置４０が解除されるので、画像形成ジョブの終了時の後は施錠装置を気にすることなく自由に扉３２を開閉できる。
【００７９】
以上説明したように、画像形成装置１００は、画像形成中は、扉３２、３５、３６の施錠装置４０を作動させて、扉３２、３５、３６をロック状態にして扉３２、３５、３６を開くことを禁止する。
【００８０】
そして、画像形成中に扉３２を開こうとしても施錠装置４０が扉３２の開放を阻止するが、ほどなく実行中の画像形成を完了させて施錠装置４０を解除して電源供給を遮断する。これにより、形成中のトナー像や搬送中の記録材が無くなり、可動部が停止して高電圧の印加も解除された状態で扉３２内へのアクセスが可能となる。
【００８１】
また、画像形成中に誤操作で電源スイッチ６０がＯＦＦ操作された場合には電源供給を継続して、同様に、形成中のトナー像や搬送中の記録材が無くなるのを待って電源供給を遮断する。
【００８２】
これらの状態で扉３２を開いても、画像形成は終了していて、ジャム検知される記録材は存在しないため、記録材のムダや記録材のジャム処理の手間を防止できる。
【００８３】
また、画像形成中にストップスイッチ１７が操作された場合は、形成中のトナー像や搬送中の記録材が無くなるのを待って画像形成ジョブを中断させて、施錠装置４０のロック状態を解除して残りジョブの再スタートに備える。この状態で扉３２が開かれると、電源制御部６３が、直ちに画像形成装置１００の各部への電源供給を遮断して扉３２内へのアクセスの安全性を確保する。
【００８４】
また、トナー補給のために扉３１を開いた場合、電源制御部６３は、施錠装置４０を作動させて扉３２をロック状態にして扉３２が開くことを禁止して、扉３１以外の扉内空間へのアクセスを不可能にする。これにより、画像形成の再開時には問題なく画像形成を開始できる。
【００８５】
また、扉３１を開いてトナー補給中に画像形成が開始される場合、施錠装置４０を作動させて扉３２が開くことを禁止して、画像形成を開始させるので、扉３１を開いていても画像形成を開始できる。
【００８６】
以上説明したように、画像形成装置１００では、画像形成中に扉３２を開いても、電源スイッチ６０をＯＦＦ操作しても、記録材のムダやジャム処理の手間を防止できる。
【図面の簡単な説明】
【００８７】
【図１】第１実施形態の画像形成装置の筐体構造の説明図である。
【図２】施錠装置の構成の説明図である。
【図３】第１実施形態の画像形成装置の内部構成の説明図である。
【図４】画像形成装置の制御系のブロック図である。
【図５】画像形成の中断処理のフローチャートである。
【符号の説明】
【００８８】
１ａ、１ｂ、１ｃ、１ｄ  感光ドラム
４ａ、４ｂ、４ｃ、４ｄ  現像装置
７ａ、７ｂ、７ｃ、７ｄ  トナーカートリッジ
８  定着装置
２１、２２、２３、１１、８  給送機構（ピックアップローラ、分離ローラ、レジストローラ、二次転写ローラ、定着装置）
３１、３２、３５、３６  扉部材（扉）
３２ｓ  扉操作検知手段（扉スイッチ）
４０  施錠装置
６０  電源スイッチ
６２、６３  制御手段（制御部、電源制御部）
１００  画像形成装置
Ｐ  記録材
Ｐａ、Ｐｂ、Ｐｃ、Ｐｄ、９  トナー像形成手段（画像形成部、中間転写ベルト）
【図１】
2009145388.tif 000003
【図２】
2009145388.tif 000004
【図３】
2009145388.tif 000005
【図４】
2009145388.tif 000006
【図５】
2009145388.tif 000007